(57)【要約】【課題】限定された空間を利用してさらに多くの電流を効果的に印加させ、低費用でより簡単に工程を進行することができる有機発光表示装置を提供する。【解決手段】有機発光表示装置用駆動パッケージは、中央領域と周辺領域とを含むベースフィルム、ベースフィルムの中央領域上に装着されている駆動回路チップ、ベースフィルムの周辺領域のうちの少なくとも一部分に形成されている複数の導電体、及び導電体上に形成されていて、導電体の長さ方向の両側端部を露出する保護膜を含む。【選択図】図７
2007052424.tif 000002
【特許請求の範囲】
【請求項１】
中央領域と周辺領域とを含むベースフィルムと、
前記ベースフィルムの中央領域上に装着されている駆動回路チップと、
前記ベースフィルムの周辺領域のうちの少なくとも一部分に形成されている複数の導電体と、
前記導電体上に形成されていて、前記導電体の長さ方向の両側端部を露出する保護膜と、
を含む有機発光表示装置用駆動パッケージ。
【請求項２】
前記導電体は、前記ベースフィルムの両側に対向するように形成されている一対の導電体を含む、請求項１に記載の有機発光表示装置用駆動パッケージ。
【請求項３】
前記導電体は、前記ベースフィルムの両側に各々離間して形成されている二対の導電体を含む、請求項１に記載の有機発光表示装置用駆動パッケージ。
【請求項４】
前記ベースフィルムはポリイミドで構成される、請求項１に記載の有機発光表示装置用駆動パッケージ。
【請求項５】
前記導電体は銅を含む材料で形成される、請求項１に記載の有機発光表示装置用駆動パッケージ。
【請求項６】
基板と、
前記基板に形成されている表示領域と、
前記基板のうちの前記表示領域以外の上部または下部の周辺領域に連続して取り付けられている複数の第１駆動パッケージと、
を含み、前記第１駆動パッケージは、
中央領域と周辺領域とを含むベースフィルムと、
前記ベースフィルムの中央領域上に装着されている第１駆動回路チップと、
前記ベースフィルムの周辺領域のうちの少なくとも一部分に形成されている複数の導電体と、
前記導電体上に形成されていて、前記導電体のうちの長さ方向の両側端を露出する保護膜と、
を含む有機発光表示装置。
【請求項７】
前記導電体は、前記ベースフィルムの両側に対向するように形成されている一対の導電体を含む、請求項６に記載の有機発光表示装置。
【請求項８】
前記導電体は、前記ベースフィルムの両側に各々離間して形成されている二対の導電体を含む、請求項６に記載の有機発光表示装置用駆動パッケージ。
【請求項９】
前記導電体は共通電圧または駆動電圧を伝達する、請求項６に記載の有機発光表示装置。
【請求項１０】
前記駆動回路チップは走査駆動集積回路である、請求項６に記載の有機発光表示装置。
【請求項１１】
前記基板のうちの前記表示領域の左側または右側部の周辺領域に連続して取り付けられている複数の第２駆動パッケージをさらに含み、
前記第２駆動パッケージは、
中央領域と周辺領域とを含むベースフィルムと、
前記ベースフィルムの中央領域上に装着されている駆動回路チップと、
前記ベースフィルムの周辺領域のうちの少なくとも一部分に形成されている導電体と、
前記導電体上に形成されていて、前記導電体のうちの長さ方向の両側端を露出する保護膜と、
を含む、請求項６に記載の有機発光表示装置。
【請求項１２】
前記第２駆動パッケージの導電体は共通電圧を伝達する、請求項１１に記載の有機発光表示装置。
【請求項１３】
前記第２駆動パッケージの駆動回路チップは走査駆動集積回路である、請求項１１に記載の有機発光表示装置。
【請求項１４】
前記第２駆動パッケージの導電体は、前記ベースフィルムの両側に対向するように形成されている一対の導電体を含む、請求項１１に記載の有機発光表示装置。
【請求項１５】
第１ベースフィルムに金属配線を形成する段階と、
前記金属配線に接続されるように駆動回路チップを前記第１ベースフィルムに実装する段階と、
第２ベースフィルム上に導電体を形成する段階と、
前記導電体の長さ方向の両側端部を露出するように導電層上に保護膜を形成する段階と、
前記第１ベースフィルムと前記第２ベースフィルムとを相互に接着する段階と、
を含む有機発光表示装置用駆動パッケージの製造方法。
【請求項１６】
前記導電体は、互いに離間して形成されている一対の導電体を含む、請求項１５に記載の有機発光表示装置用駆動パッケージの製造方法。
【請求項１７】
第３ベースフィルム上に導電体を形成する段階と、
前記導電体の長さ方向の両側端を露出するように導電層上に保護膜を形成する段階と、
前記第３ベースフィルムと第１ベースフィルムとを相互に接着する段階と、
をさらに含む、請求項１５に記載の有機発光表示装置用駆動パッケージの製造方法。
【請求項１８】
前記第３ベースフィルム上の導電体は、互いに離間して形成されている一対の導電体を含む、請求項１７に記載の有機発光表示装置用駆動パッケージの製造方法。
【発明の詳細な説明】
【技術分野】
【０００１】
本発明は有機発光表示装置用駆動フィルム、駆動パッケージ及びこれを含む有機発光表示装置に関する。
【背景技術】
【０００２】
最近、パーソナルコンピュータやテレビなどの軽量化及び薄型化により表示装置も軽量化及び薄型化が要求されており、このような要求によって陰極線管（cathode  ray  tube：CRT）の代わりに平板表示装置が多く用いられるようになっている。
このような平板表示装置には、液晶表示装置（liquid  crystal  display：LCD）、電界放出表示装置（field  emission  display：FED）、有機発光表示装置（organic  light  emitting  diode  display）、プラズマ表示装置（plasma  display  panel：PDP）などがある。
【０００３】
一般に、能動型平板表示装置においては、複数の画素が行列状に配列され、与えられた輝度情報によって各画素の光強度を制御することによって映像を表示する。このうちの有機発光表示装置は、蛍光性有機物質を電気的に励起発光させて映像を表示する表示装置であって、自己発光型であり、消費電力が小さく、視野角が広く、画素の応答速度が速いので、高画質の動画像を表示することが容易である。
【０００４】
有機発光表示装置は、有機発光ダイオード（organic  light  emitting  diode：OLED）と、これを駆動する薄膜トランジスタ（Thin  Film  transistor：TFT）とを備える。この駆動トランジスタは活性層（active  layer）の種類によって多結晶シリコン（poly  silicon）薄膜トランジスタと非晶質シリコン（amorphous  silicon）薄膜トランジスタなどに区分される。
【特許文献１】特開2000-356782号公報
【発明の開示】
【発明が解決しようとする課題】
【０００５】
有機発光表示装置の大きさが大きくなるほど、同一の明るさで表示するために消費する電流が増加するので、供給できる電流量が表示の均一性を決定する重要な要因となっている。しかし、大型表示板では表示部を除く周縁部分の大きさがある程度制限されることから、このような周縁部分に大きい電流を供給するための電源供給部を配置するための設計が容易ではないという問題がある。
【０００６】
そこで、本発明が解決しようとする技術的課題は、限定された空間を利用してさらに多くの電流を効果的に印加し、低費用でより簡単に製造工程を進行することができる有機発光表示装置を提供することにある。
【課題を解決するための手段】
【０００７】
本発明の有機発光表示装置用駆動パッケージは、中央領域と周辺領域とを含むベースフィルム、前記ベースフィルムの中央領域上に装着されている駆動回路チップ、前記ベースフィルムの周辺領域のうちの少なくとも一部分に形成されている複数の導電体、及び前記導電体上に形成されていて、前記導電体のうちの長さ方向の両側端を露出する保護膜を含む。
【０００８】
前記導電体は、前記ベースフィルムの両側に対向するように形成されている一対の導電体を含むことができる。
前記導電体は、前記ベースフィルムの両側に各々離間して形成されている二対の導電体を含むことができる。
前記ベースフィルムはポリイミドで構成することができる。
【０００９】
前記導電体は銅を含む材料で構成することができる。
本発明の他の実施形態によれば、基板、前記基板に形成されている表示領域、及び前記基板のうちの前記表示領域以外の上部または下部の周辺領域に連続して取り付けられている複数の第１駆動パッケージを含み、前記第１駆動パッケージは、中央領域と周辺領域とを含むベースフィルム、前記ベースフィルムの中央領域上に装着されている第１駆動回路チップ、前記ベースフィルムの周辺領域のうちの少なくとも一部分に形成されている複数の導電体、及び前記導電体上に形成されていて、前記導電体の長さ方向の両側端部を露出する保護膜を含む有機発光表示装置が開示される。
【００１０】
前記導電体は、共通電圧または駆動電圧を伝達することができる。
前記駆動回路チップは、走査駆動集積回路とすることができる。
前記基板のうちの前記表示領域の左側または右側部の周辺領域に連続して取り付けられている複数の第２駆動パッケージをさらに含み、前記第２駆動パッケージは、中央領域と周辺領域とを含むベースフィルム、前記ベースフィルムの中央領域上に装着されている駆動回路チップ、前記ベースフィルムの周辺領域のうちの少なくとも一部分に形成されている導電体、及び前記導電体上に形成されていて、前記導電体のうちの長さ方向の両側端を露出する保護膜を含むことができる。
【００１１】
前記第２駆動パッケージの導電体は、共通電圧を伝達するように構成できる。
前記第２駆動パッケージの駆動回路チップは、走査駆動集積回路とすることができる。
前記第２駆動パッケージの導電体は、前記ベースフィルムの両側に対向するように形成されている一対を含むように構成できる。
本発明の他の実施形態によれば、第１ベースフィルムに金属配線を形成する段階、前記第１ベースフィルムに前記金属配線と接続されるように駆動回路チップを実装する段階、第２ベースフィルム上に導電体を形成する段階、前記導電体の長さ方向の両側端を露出するように導電層上に保護膜を形成する段階、及び前記第１ベースフィルムと前記第２ベースフィルムとを相互に接着する段階を含む有機発光表示装置用駆動パッケージの製造方法が開示される。
【発明の効果】
【００１２】
本発明によれば、有機発光表示板の限定された空間でさらに多くの電流を効果的に印加し、低費用でより簡単に製造工程を進行することができる。
【発明を実施するための最良の形態】
【００１３】
添付した図面を参照して、本発明の実施形態について本発明の属する技術分野における通常の知識を有する者が容易に実施できるように詳細に説明する。しかし、本発明は多様な相異な形態で実現でき、ここに説明する実施形態に限定されない。
図面において、いろいろな層及び領域を明確に表現するために厚さを拡大して示した。明細書全体にわたって類似する部分については同一の図面符号を付けた。層、膜、領域、板などの部分が他の部分の“上”にあるとする時、これは他の部分の“すぐ上”にある場合だけでなく、その中間に他の部分がある場合も含む。逆に、ある部分が他の部分の“すぐ上”にあるとする時には、中間に他の部分がないことを意味する。
【００１４】
以下、本発明の実施形態による表示装置及びその駆動方法について、添付した図面を参照して詳細に説明する。
図１は本発明の一実施形態による有機発光表示装置のブロック図であり、図２は本発明の一実施形態による有機発光表示装置の１つの画素に対する等価回路図である。
図１に示したように、本発明の一実施形態による有機発光表示装置は、表示板３００と、これに接続された走査駆動部４００及びデータ駆動部５００、並びにこれらを制御する信号制御部６００を含む。
【００１５】
表示板３００は等価回路で見れば、複数の表示信号線Ｇ1〜Ｇn、Ｄ1〜Ｄmと複数の駆動電圧線（図示せず）、及びこれらに接続されていて、ほぼ行列状に配列された複数の画素ＰＸを含む。
表示信号線Ｇ1〜Ｇn、Ｄ1〜Ｄmは、走査信号を伝達する複数の走査信号線Ｇ1〜Ｇnと、データ電圧を伝達する複数のデータ線Ｄ1〜Ｄmとを含む。走査信号線Ｇ1〜Ｇnはほぼ行方向に延長されており、互いに分離され、ほぼ平行である。データ線Ｄ1〜Ｄmはほぼ列方向に延長されており、互いに分離され、ほぼ平行である。
【００１６】
駆動電圧線は、各画素ＰＸに駆動電圧Ｖｄｄを伝達する。
図２に示したように、各画素ＰＸ、例えば、走査信号線Ｇiとデータ線Ｄjとに接続されている画素は、有機発光ダイオードＬＤ、駆動トランジスタＱｄ、キャパシタＣｓｔ、及びスイッチングトランジスタＱｓを含む。
駆動トランジスタＱｄは三端子素子であって、その制御端子はスイッチングトランジスタＱｓ及びキャパシタＣｓｔに接続されており、入力端子は駆動電圧Ｖｄｄに接続されており、出力端子は有機発光ダイオードＬＤに接続されている。
【００１７】
スイッチングトランジスタＱｓも三端子素子であって、その制御端子及び入力端子は各々走査信号線Ｇi及びデータ線Ｄjに接続されており、出力端子はキャパシタＣｓｔ及び駆動トランジスタＱｄに接続されている。
キャパシタＣｓｔは、スイッチングトランジスタＱｓと駆動電圧Ｖｄｄとの間に接続されており、スイッチングトランジスタＱｓからのデータ電圧を充電して所定時間維持する。
【００１８】
有機発光ダイオードＬＤのアノード（anode）とカソード（cathode）は各々駆動トランジスタＱｄと共通電圧Ｖｓｓに接続されている。有機発光ダイオードＬＤは、駆動トランジスタＱｄが供給する電流ＩLDの大きさによって強さを異にして発光することにより、画像を表示する。電流ＩLDの大きさは、駆動トランジスタＱｄの制御端子と出力端子との間の電圧Ｖｇｓの大きさに依存する。
【００１９】
スイッチングトランジスタＱｓ及び駆動トランジスタＱｄは、非晶質シリコンまたは多結晶シリコンを含むｎ−チャネル電界効果トランジスタ（field  effect  transistor：FET）からなる。しかし、これらトランジスタＱｓ、Ｑｄはｐ−チャネル電界効果トランジスタＦＥＴで構成することもでき、この場合、ｐ−チャネル電界効果トランジスタＦＥＴとｎ−チャネル電界効果トランジスタＦＥＴとは、互いに相補型（complementary）であるので、ｐ−チャネル電界効果トランジスタＦＥＴの動作と電圧及び電流はｎ−チャネル電界効果トランジスタＦＥＴのそれと反対となる。
【００２０】
以下、図２に示した有機発光表示装置の駆動トランジスタＱｄと有機発光ダイオードＬＤの構造について、図３及び図４を参照して詳細に説明する。
図３は図２に示した有機発光表示装置の１つの画素の駆動トランジスタと有機発光ダイオードの断面の一例を示した断面図であり、図４は本発明の一実施形態による有機発光表示装置の有機発光ダイオードの概略図である。
【００２１】
絶縁基板１１０上に制御端子電極（control  electrode）１２４が形成されている。制御端子電極１２４は、アルミニウム（Al）とアルミニウム合金などアルミニウム系金属、銀（Ag）と銀合金など銀系金属、銅（Cu）と銅合金など銅系金属、モリブデン（Mo）とモリブデン合金などモリブデン系金属、クロム（Cr）、チタニウム（Ti）、タンタル（Ta）などで形成することが好ましい。しかし、制御端子電極１２４は物理的性質が異なる２つの導電膜（図示せず）を含む多重膜構造とすることができる。このうちの１つの導電膜は、信号遅延や電圧降下を減少するために低い比抵抗（resistivity）の金属、例えば、アルミニウム系金属、銀系金属、銅系金属などで形成される。これとは異なって、他の導電膜は他の物質、特にITO（indium tin  oxide）及びIZO（indium  zinc  oxide）との物理的、化学的、電気的接触特性に優れた物質、例えば、モリブデン系金属、クロム、チタニウム、タンタルなどで形成される。このような組み合わせの良い例としては、クロム下部膜とアルミニウム（合金）上部膜、及びアルミニウム（合金）下部膜とモリブデン（合金）上部膜がある。しかし、制御端子電極１２４は多様な金属と導電体で形成することができる。制御端子電極１２４は基板１１０面に対して傾斜しており、その傾斜角は３０゜〜８０゜である。
【００２２】
制御端子電極１２４上には窒化ケイ素（SiNx）などからなる絶縁膜（insulating  layer）１４０が形成されている。
絶縁膜１４０上には、水素化非晶質シリコン（hydrogenated  amorphous  silicon）（非晶質シリコンは、略してａ−Ｓｉと記す。）または多結晶シリコン（polycrystalline  silicon）などからなる半導体１５４が形成されている。
【００２３】
半導体１５４上には、シリサイド（silicide）またはｎ型不純物が高濃度にドーピングされているｎ＋水素化非晶質シリコンなどの物質で作られた一対のオーミックコンタクト部材（ohmic  contact）１６３、１６５が形成されている。
半導体１５４とオーミックコンタクト部材１６３、１６５の側面は基板１１０面に対して傾斜しており、傾斜角は３０〜８０゜である。
【００２４】
オーミックコンタクト部材１６３、１６５及び絶縁膜１４０上には、入力端子電極（input  electrode）１７３と出力端子電極（output  electrode）１７５とが形成されている。入力端子電極１７３と出力端子電極１７５とはクロム、モリブデン系金属、タンタル及びチタニウムなど耐火性金属（refractory  metal）で作られることが好ましく、耐火性金属などの下部膜（図示せず）とその上に位置した低抵抗物質の上部膜（図示せず）とを含む多層膜構造を有することができる。多層膜構造の例としては、クロムまたはモリブデン（合金）下部膜とアルミニウム上部膜との二重膜、モリブデン（合金）下部膜−アルミニウム（合金）中間膜−モリブデン（合金）上部膜の三重膜がある。入力端子電極１７３と出力端子電極１７５も制御端子電極１２４と同様に、その側面が約３０゜〜８０゜の角度で各々傾斜している。
【００２５】
入力端子電極１７３と出力端子電極１７５とは互いに分離されており、制御端子電極１２４を基準として両側に位置する。制御端子電極１２４、入力端子電極１７３及び出力端子電極１７５は半導体１５４と共に駆動トランジスタＱｄを構成し、そのチャネルは入力端子電極１７３と出力端子電極１７５との間の半導体１５４に形成される。
オーミックコンタクト部材１６３、１６５は、その下部の半導体１５４とその上部の入力端子電極１７３及び出力端子電極１７５との間にだけ存在し、接触抵抗を低くする役割を果たす。半導体１５４には入力端子電極１７３と出力端子電極１７５によって覆われずに露出された部分がある。
【００２６】
入力端子電極１７３及び出力端子電極１７５と、露出された半導体１５４部分及び絶縁膜１４０上には、保護膜（passivation layer）１８０が形成されている。保護膜１８０は、窒化ケイ素（SiNx）や酸化ケイ素（SiO2）などの無機絶縁物、有機絶縁物、低誘電率絶縁物などで構成される。低誘電率絶縁物の誘電定数は４．０以下であることが好ましく、プラズマ化学気相蒸着（plasma  enhanced  chemical  vapor  deposition：PECVD）によって形成されるａ−Ｓｉ:Ｃ:Ｏ、ａ−Ｓｉ:Ｏ:Ｆなどがその例である。有機絶縁物のうちの感光性を有する物質で保護膜１８０を形成することもでき、保護膜１８０の表面は平坦にすることもできる。また、保護膜１８０は半導体１５４の露出された部分を保護しながらも有機膜の長所を生かすことができるように、下部無機膜と上部有機膜との二重膜構造とすることができる。保護膜１８０には出力端子電極１７５を露出するコンタクトホール（contact  hole）１８５が形成されている。
【００２７】
保護膜１８０上には画素電極１９０が形成されている。画素電極１９０は、コンタクトホール１８５を通じて出力端子電極１７５と物理的・電気的に接続されており、ＩＴＯまたはＩＺＯなどの透明な導電物質やアルミニウムまたは銀合金の反射性に優れた金属で形成することができる。
保護膜１８０上には、また、隔壁３６１が形成されている。隔壁３６１は、画素電極１９０周辺領域を堤（bank）のように取り囲んで開口部（opening）を定義するものであって、有機絶縁物質または無機絶縁物質で形成される。
【００２８】
画素電極１９０上には有機発光部材３７０が形成されており、この有機発光部材３７０は隔壁３６０によって取り囲まれた開口部に閉じ込められている。
有機発光部材３７０は、図４に図示したように、発光層（emitting layer）ＥＭＬ以外に発光層ＥＭＬの発光効率を向上させるための付帯層を含む多層構造を有する。付帯層には、電子と正孔とのバランスをとるための電子輸送層（electron  transport  layer）ＥＴＬ及び正孔輸送層（hole  transport  layer）ＨＴＬと、電子と正孔の注入を強化するための電子注入層（electron  injecting  layer）ＥＩＬ及び正孔注入層（hole  injecting  layer）ＨＩＬがある。これら付帯層は省略することも可能である。
【００２９】
隔壁３６１及び有機発光部材３７０上には共通電圧Ｖｓｓが印加される共通電極２７０が形成されている。共通電極２７０は、カルシウム（Ca）、バリウム（Ba）、アルミニウム（Al）、銀（Ag）などを含む反射性金属またはＩＴＯまたはＩＺＯなどの透明な導電物質で形成される。
不透明な画素電極１９０と透明な共通電極２７０とは、表示板３００の上部方向に画像を表示する前面発光（top  emission）方式の有機発光表示装置に適用し、透明な画素電極１９０と不透明な共通電極２７０とは、表示板３００の下方向に画像を表示する背面発光（bottom  emission）方式の有機発光表示装置に適用する。
【００３０】
画素電極１９０、有機発光部材３７０及び共通電極２７０は、図２に示した有機発光ダイオードＬＤを構成し、画素電極１９０がアノード、共通電極２７０がカソードとなるか、または逆に画素電極１９０がカソード、共通電極１９０がアノードとなる。有機発光ダイオードＬＤは有機発光部材３７０の材料によって基本色（primary  color）のうちの１つの色相の光を出力する。基本色の例としては赤色、緑色、青色の三原色があり、三原色の空間的合計によって所望の色相を表示する。
【００３１】
図１に示すように、走査駆動部４００は走査信号線Ｇ1〜Ｇnに接続され、スイッチングトランジスタＱｓをターンオンすることができる高電圧Ｖｏｎと、ターンオフすることができる低電圧Ｖｏｆｆとの組み合わせからなる走査信号を走査信号線Ｇ1〜Ｇnに印加する。
データ駆動部５００はデータ線Ｄ1〜Ｄmに接続され、データ電圧をデータ線Ｄ1〜Ｄmに印加する。
【００３２】
信号制御部６００は走査駆動部４００及びデータ駆動部５００などの動作を制御し、入力映像データＲ、Ｇ、Ｂを補正する。
走査駆動部４００またはデータ駆動部５００は、少なくとも１つの駆動集積回路チップの形態で表示板３００上に直接装着するか、または可撓性印刷回路膜（flexible  printed  circuit  film）（図示せず）上に装着されてＴＣＰ（tapecarrier  package）の形態で表示板３００に取り付けることもできる。これとは異なって、走査駆動部４００またはデータ駆動部５００が表示板３００に集積することもできる。または、データ駆動部５００と信号制御部６００などは１つのＩＣ（one  chip）に集積できる。
【００３３】
信号制御部６００は、外部のグラフィック制御機（図示せず）から入力映像データＲ、Ｇ、Ｂ及びその表示を制御する入力制御信号、例えば、垂直同期信号Ｖｓｙｎｃ、水平同期信号Ｈｓｙｎｃ、メインクロックＭＣＬＫ及びデータイネーブル信号ＤＥなどの提供を受ける。信号制御部６００は、入力映像データＲ、Ｇ、Ｂと入力制御信号に基づいて入力映像データＲ、Ｇ、Ｂを補正して出力映像データＤＡＴを生成し、走査制御信号ＣＯＮＴ１及びデータ制御信号ＣＯＮＴ２などを生成した後、走査制御信号ＣＯＮＴ１を走査駆動部４００に送出し、データ制御信号ＣＯＮＴ２と出力映像データＤＡＴはデータ駆動部５００に送出する。
【００３４】
走査制御信号ＣＯＮＴ１は、高電圧Ｖｏｎの走査開始を指示する走査同期開始信号ＳＴＶと、高電圧Ｖｏｎの出力を制御する少なくとも１つのクロック信号などを含む。
データ制御信号ＣＯＮＴ２は、１つの画素行のデータ伝送を知らせる水平同期開始信号ＳＴＨ、データ線Ｄ1〜Ｄmに該当データ電圧の印加を指示するロード信号ＬＯＡＤ及びデータクロック信号ＨＣＬＫなどを含む。
【００３５】
データ駆動部５００は、信号制御部６００からのデータ制御信号ＣＯＮＴ２によって１つの行の画素に対する映像データＤＡＴを順に受信し、各映像データＤＡＴをデータ電圧に変換した後、これを該当データ線Ｄ1〜Ｄmに印加する。
走査駆動部４００は、信号制御部６００からの走査制御信号ＣＯＮＴ１によって走査信号を走査信号線Ｇ1〜Ｇnに印加し、この走査信号線Ｇ1〜Ｇnに接続されたスイッチングトランジスタＱｓをターンオンし、これによってデータ線Ｄ1〜Ｄmに印加されたデータ電圧が、ターンオンしたスイッチングトランジスタＱｓを通じて該当駆動トランジスタＱｄの制御端子に印加される。
【００３６】
駆動トランジスタＱｄに印加されたデータ電圧はキャパシタＣｓｔに充電され、スイッチングトランジスタＱｓがオフしても充電された電圧は維持される。データ電圧が印加された駆動トランジスタＱｄはオンになり、この電圧に依存する電流ＩLDを出力する。そして、この電流ＩLDが有機発光ダイオードＬＤに流れながら該当画素ＰＸは映像を表示する。
【００３７】
１水平周期（または“１Ｈ”）（水平同期信号Ｈｓｙｎｃ、データイネーブル信号ＤＥの一周期）が経過すれば、データ駆動部５００と走査駆動部４００は次行の画素ＰＸに対して同一の動作を繰り返す。このような方式により、１フレーム（frame）の間に全ての走査信号線Ｇ1〜Ｇnに対して順に走査信号を印加し、全ての画素ＰＸにデータ電圧を印加する。１フレームが終了すれば次のフレームが開始し、次のフレームにおいても同一の動作を繰り返す。
【００３８】
次に、本発明の実施形態による有機発光表示装置の多様な実施形態について詳細に説明する。
図５、図６及び図１２は本発明の多様な実施形態による有機発光表示装置を示した平面図である。
図５、図６及び図１２に示すように、本実施形態による有機発光表示装置は有機発光表示板３００を含む。有機発光表示板３００は、複数の画素を備え、映像を実質的に表示する表示領域３１０を備える。有機発光表示板３００のうちの表示領域３１０以外の周辺領域空間（周縁）は、表示板３００を駆動するための多様な部材を取り付ける部分である。
【００３９】
図５に示すように、有機発光表示板３００の上部周辺領域には複数のデータ駆動回路パッケージ３０ａが取り付けられており、有機発光表示板３００の側部周辺領域には複数の走査駆動回路パッケージ３０ｂが取り付けられている。データ駆動回路パッケージ３０ａ及び走査駆動回路パッケージ３０ｂは、可撓性印刷回路膜（flexible  printed  circuit  film）（図示せず）と、その上に装着されている駆動回路チップとを含み、ＴＣＰ（tape  carrier  package）またはＣＯＦ（chip  on  film）の形態であり得る。しかし、これに限定されるわけではなく、回路が表示板３００に直接装着することができ、また表示板３００に集積することもできる。
【００４０】
複数のデータ駆動回路パッケージ３０ａの間、走査駆動回路パッケージ３０ｂの間、有機発光表示板３００の下部周辺領域には、可撓性印刷回路フィルム（flexible  printed  circuit:FPC）３３、３４が取り付けられている。
駆動回路パッケージ３０ａ、３０ｂ及び可撓性印刷回路フィルム６０は、また、印刷回路基板（図示せず）に取り付けられ、駆動回路パッケージ３０ａ、３０ｂは印刷回路基板から映像データ及び各種制御信号などを受信した後、データ電圧などを表示板３００に印加し、可撓性印刷回路フィルム６０は印刷回路基板から駆動電圧Ｖｄｄまたは共通電圧Ｖｓｓを受信して表示板３００に伝達する。駆動電圧Ｖｄｄは主に表示板３００の上下方向に流れ、共通電圧Ｖｓｓは表示板３００の上下方向または左右方向に伝達されるように構成できる。
【００４１】
図５においては、データ駆動回路パッケージ３０ａまたは走査駆動回路パッケージ３０ｂは、可撓性印刷回路フィルム６０と共に表示板３００の他の周縁にも取り付けることができる。また、表示板３００の左右周辺領域の全てに走査駆動回路パッケージ３０ｂを取り付けているが、いずれか１つの側部にだけ走査駆動回路パッケージ３０ｂを可撓性印刷回路フィルム６０と共に取り付け、残り１つの側部には可撓性印刷回路フィルムだけを取り付けることもできる。
【００４２】
図６に示すように、有機発光表示板３００の上部には複数の第１駆動パッケージ４０が連続的に取り付けられており、有機発光表示板３００の左右側部には複数の第２駆動パッケージ５０が連続的に取り付けられている。駆動パッケージ４０、５０は、表示板３００に共通電圧及び／または駆動電圧を伝達しながらデータ電圧または走査電圧を印加する部材である。表示板３００の上部周辺領域に取り付けられた第１駆動パッケージ４０は主にデータ駆動電圧回路を含み、側部周辺領域に取り付けられた第２駆動パッケージ５０は主に走査駆動電圧回路を含む。
【００４３】
表示板３００の下部周辺領域には可撓性印刷回路フィルム３３、３４が取り付けられている。可撓性印刷回路フィルム３３、３４のうちの１つは駆動電圧Ｖｄｄを伝達するように構成し、他の１つは共通電圧Ｖｓｓを伝達するように構成できる。しかし、これに限定されるわけではなく、必要に応じて第１駆動パッケージ４０を表示板３００の下部周辺領域に取り付けることもできる。また、表示板３００の右側周辺領域には第２駆動パッケージ５０が取り付けられているが、必要に応じて印刷回路フィルム３３、３４だけを取り付けることもできる。
【００４４】
次に、図７〜図１３を参照して、第１及び第２駆動パッケージ４０、５０について詳細に説明する。
図７は本発明の一実施形態による第１駆動パッケージ４０を示す平面図であり、図８、図９及び図１０は図７に示した第１駆動パッケージ４０のVIII-VIII、IX-IX、及びX-X線による断面図であり、図１１は本発明の他の実施形態による第１駆動パッケージ４０を示す断面図であり、図１２は本発明の一実施形態による第２駆動パッケージ５０を示す平面図であり、図１３は本発明の他の実施形態による第１駆動パッケージ４０を示す断面図である。
【００４５】
図７〜図１０に示すように、本実施形態による第１駆動パッケージ４０は、ベースフィルム４１、ベースフィルム４１上に形成されている金属配線４８、ベースフィルム４１上に実装されている駆動集積回路チップ４２、及びベースフィルム４１の両側周辺領域に形成されている導電体４３ａ、４３ｂ、４４ａ、４４ｂを含む。
ベースフィルム４１は、第１駆動パッケージ４０の支持体であって、導電体４３ａ、４３ｂ、４４ａ、４４ｂと駆動集積回路チップ４２及び駆動集積回路チップ４２と接続されている金属配線４８などを保護する。ベースフィルム４１は絶縁性及び可撓性を有し、例えば、ポリイミドなどで形成することができる。
【００４６】
駆動回路チップ４２はベースフィルム４１の中央部に装着されている。駆動回路チップ４２は有機発光表示板３００にデータ電圧を印加するデータ駆動集積回路チップである。
金属配線４８はバンプなどの連結部材４８’によって駆動回路チップ４２と接続されており、ベースフィルム４１上に駆動回路チップ４２から入力端及び出力端に向かって形成されている。図７において、金属配線４８はベースフィルム４１上に形成されているように図示しているが、これに限定されるわけではなく、ベースフィルム４１下に形成することもできる。
【００４７】
ベースフィルム４１の両側端に形成されている２対の導電体４３ａ、４３ｂ、４４ａ、４４ｂは、例えば、銅のように伝導性が良い金属で構成される。各導電体４３ａ、４３ｂ、４４ａ、４４ｂは、隣接している導電体４３ａ、４３ｂ、４４ａ、４４ｂに短絡しないように、所定の間隔４７を置いて配置されている。この間隔４７によって絶縁性のベースフィルム４１の一部が露出している。代案として、導電体４３ａ、４３ｂ、４４ａ、４４ｂの間の間隔４７に別途の絶縁部材（図示せず）を形成することができる。また、導電体４３ａ、４３ｂと金属配線４８との間にも絶縁部材（図示せず）を設けることによって、導電体４３ａ、４３ｂと金属配線４８との短絡を防止することもできる。
【００４８】
導電体４３ａ、４３ｂ、４４ａ、４４ｂは、別途に設けられた印刷回路基板（図示せず）から駆動電圧Ｖｄｄまたは共通電圧Ｖｓｓを表示板３００に伝達する。２対の導電体４３ａ、４３ｂ、４４ａ、４４ｂのうちの１対は共通電圧Ｖｓｓを伝達するように構成し、他の１対は駆動電圧Ｖｄｄを伝達するように構成できる。
導電体４３ａ、４３ｂ、４４ａ、４４ｂ上には保護膜４５ａ、４５ｂ、４６ａ、４６ｂが形成されている。保護膜４５ａ、４５ｂ、４６ａ、４６ｂは絶縁性の物質で形成することが好ましい。この時、保護膜４５ａ、４５ｂ、４６ａ、４６ｂは、導電体４３ａ、４３ｂ、４４ａ、４４ｂの上面を覆い、かつその長さ方向の両側端部を露出するように形成されている。従って、導電体４３ａ、４３ｂ、４４ａ、４４ｂにおいて、露出された部分のうちの１つは駆動パッケージ４０と印刷回路基板とを接続するパッド部として用いられ、露出された部分のうちの他の１つは駆動パッケージ４０と表示板３００とを接続するパッド部として用いられる。
【００４９】
このように、１つの駆動パッケージ４０を利用してデータ電圧だけでなく共通電圧Ｖｓｓ及び駆動電圧Ｖｄｄを表示板３００に供給することができ、表示板３００の製造工程をさらに簡単にすることができる。
図１１に示すように、本実施形態による駆動パッケージ４０は、２対の導電体４３ａ、４３ｂ、４４ａ、４４ｂを各々覆う２つの保護膜４８ａ、４８ｂを含む。つまり、このような保護膜４８ａ、４８ｂは、導電体４３ａ、４３ｂ、４４ａ、４４ｂ毎に保護膜を設ける必要はなく、隣接する導電体を一度に覆うように構成することができる。従って、絶縁性物質からなる保護膜４８ａ、４８ｂが、隣接する導電体４３ａ及び４４ａ、４４ａ及び４４ｂの各対間に存在する間隙４７を埋めることとなるため、導電体４３ａ及び４４ａ、４４ａ及び４４ｂの間の短絡をさらに確実に防止することができる。
【００５０】
図１２に示すように、本実施形態による第２駆動パッケージ５０は、ベースフィルム５１、ベースフィルム５１上に実装されている駆動集積回路チップ５２、及びベースフィルム５１の両側端に形成されている導電体５３ａ、５３ｂを含む。図７に示した第１駆動パッケージ４０とは異なって、第２駆動パッケージ５０は一対の導電体５３ａ、５３ｂを備える。導電体５３ａ、５３ｂは共通電圧Ｖｓｓを表示板３００に供給する。しかし、これに限定されるわけではなく、導電体５３ａ、５３ｂは必要に応じて駆動電圧Ｖｄｄを供給することもでき、このような第２駆動パッケージ５０は表示板３００の上部周辺領域に第１駆動パッケージ４０の代わりに設けることもできる。  次に図１３及び図１４を参照して本発明の他の実施形態による有機発光表示板について説明する。
【００５１】
図１３は本発明の他の実施形態による有機発光表示板を示す平面図であり、図１４は本発明の他の実施形態による駆動パッケージを示す平面図である。
図１３に示すように、本実施形態による有機発光表示板の上部には第３駆動パッケージ６０が連続的に取り付けられている。
図１４に示すように、ベースフィルム６１上に駆動集積回路チップ６２が実装されており、ベースフィルム６１の一側端には導電体６５が保護膜６３によって覆われた状態で形成されている。また、導電体６３と金属配線との間には、絶縁部材６６が設けられており、導電体６３と金属配線との短絡を防止している。図１３の駆動パッケージ６０は、図７または図１１に示した駆動パッケージ４０、５０とは異なって、一側にだけ導電体６３が形成されており、導電体６３は共通電圧Ｖｓｓまたは駆動電圧Ｖｄｄを表示板３００に伝達することができる。導電体６３を通じて共通電圧Ｖｓｓまたは駆動電圧Ｖｄｄを伝達する２つの第３駆動パッケージ６０を表示板３００の上部に交互に取り付けることができる。これによって、限定された空間でデータ電圧だけでなく共通電圧Ｖｓｓ及び駆動電圧Ｖｄｄもより効果的に表示板に供給することができる。
【００５２】
以下、本発明による駆動パッケージ４０、５０、６０の製造方法について説明する。
まず、中央部にホールが形成されているベースフィルム４１、５１、６１を設けてその上のまたは下に金属配線を形成する。金属配線はベースフィルム４１、５１、６１の１つの長さ方向に形成するが、ホール部分でベースフィルム４１、５１、６１の対向する２つの辺と各々接続されるようにする。その後、ベースフィルム４１、５１、６１のホール部分に金属配線と接続されるように駆動回路チップ４２、５２、６２を実装する。
【００５３】
次に、他のベースフィルムを設けてその上に導電層４３ａ、４３ｂ、４４ａ、４４ｂ、５３ａ、５３ｂ、６３を形成する。その後、導電層４３ａ、４３ｂ、４４ａ、４４ｂ、５３ａ、５３ｂ、６３上に保護膜４５ａ、４５ｂ、４６ａ、４６ｂ、５５ａ、５５ｂ、６５を形成するが、導電層４３ａ、４３ｂ、４４ａ、４４ｂ、５３ａ、５３ｂ、６３の長さ方向の両側端部を露出するようにする。
【００５４】
その後、導電層４３ａ、４３ｂ、４４ａ、４４ｂ、５３ａ、５３ｂ、６３が形成されているベースフィルムと、駆動回路チップ４２、５２、６２が形成されているベースフィルムとを相互に接着する。
この時、導電層は図７に示したように、駆動回路チップ４２を中心に両側に各々２つずつ設けることができ、図１２に示したように両側に１つずつ設けることもでき、図１４に示したようにいずれか一側にだけに設けることもできる。
【００５５】
以上、本発明の好ましい実施形態について詳細に説明したが、本発明の権利範囲はこれに限定されるわけではなく、添付した請求範囲で定義している本発明の基本概念を利用した当業者の種々の変形及び改良形態も本発明の権利範囲に属するものである。
【図面の簡単な説明】
【００５６】
【図１】本発明の一実施形態による有機発光表示装置のブロック図である。
【図２】本発明の一実施形態による有機発光表示装置の１つの画素に対する等価回路図である。
【図３】図２に示した有機発光表示装置の１つの画素の駆動トランジスタと有機発光ダイオードの断面の一例を示した断面図である。
【図４】本発明の一実施形態による有機発光表示装置の有機発光ダイオードの概略図である。
【図５】本発明の一実施形態による有機発光表示装置を示す平面図である。
【図６】本発明の他の実施形態による有機発光表示装置を示す平面図である。
【図７】本発明の一実施形態による駆動パッケージを示す平面図である。
【図８】図７に示した駆動パッケージのVIII-VIII線による断面図である。
【図９】図７に示した駆動パッケージのIX-IX線による断面図である。
【図１０】図７に示した駆動パッケージのX-X線による断面図である。
【図１１】本発明の他の実施形態による駆動パッケージを示す断面図である。
【図１２】本発明の他の実施形態による駆動パッケージを示す平面図である。
【図１３】本発明の他の実施形態による有機発光表示装置を示す平面図である。
【図１４】本発明の他の実施形態による駆動パッケージを示す平面図である。
【符号の説明】
【００５７】
３３、３４  可撓性印刷回路フィルム
４０、５０、６０  駆動パッケージ
４１、５１、６１  ベースフィルム
４２、５２、６２  駆動回路チップ
４３ａ、４３ｂ、４４ａ、４４ｂ、５３ａ、５３ｂ、６３  導電体
４５ａ、４５ｂ、４６ａ、４６ｂ、５５ａ、５５ｂ、６５  保護膜
４７  間隙
４８、４８ａ、４８ｂ  保護膜
４８'  連結部材
１１０  基板
１２４  制御端子電極、
１４０  絶縁膜
１５４  半導体、
１６３、１６５  接触部材
１７３  入力端子電極、
１７５  出力端子電極
１８０  保護膜
１８５  コンタクトホール
１９０  画素電極、
２７０  共通電極
３００  表示板
３６１  隔壁
３７０  有機発光部材
４００  走査駆動部
５００  データ駆動部
６００  信号制御部
【図１】
2007052424.tif 000003
【図２】
2007052424.tif 000004
【図３】
2007052424.tif 000005
【図４】
2007052424.tif 000006
【図５】
2007052424.tif 000007
【図６】
2007052424.tif 000008
【図７】
2007052424.tif 000009
【図８】
2007052424.tif 000010
【図９】
2007052424.tif 000011
【図１０】
2007052424.tif 000012
【図１１】
2007052424.tif 000013
【図１２】
2007052424.tif 000014
【図１３】
2007052424.tif 000015
【図１４】
2007052424.tif 000016